(57)【要約】【課題】本発明は、冬季に手を保温及び防寒するために、乳母車、シルバーカー、車椅子、ハンドカー、犬乳母車、ハングライダー、自転車、杖等に適用され、多様な乳母車を区分せず脱着可能で手を自然に動かすことができ、また手袋を脱いで別途に保管する必要がないため、使用者の不注意による紛失を未然に防止できる脱着可能な保温手袋を提供する。【解決手段】本発明に係る脱着可能な保温手袋は、中央部分が折畳み可能なだるま形本体と、前記本体の内面に沿って結合された保温部材と、前記本体の外面に沿って結合された外皮部材と、前記本体の両側端に沿って結合されて本体内部に収容部を形成する第１ファスナー及び第２ファスナーと、前記本体の内面一側に設置される離脱防止用リングを含んで構成され、前記本体の下部一側には「十字（十）」または「一字（一）」状の挿入部が貫通形成されたことを特徴とする。【選択図】図１
2013514464.tif 000002
【特許請求の範囲】
【請求項１】
中央部分が折畳み可能なだるま形本体と、
前記本体の内面に沿って結合された保温部材と、
前記本体の外面に沿って結合された外皮部材と、
前記本体の両側端に沿って結合され本体内部に収容部を形成させる第１ファスナー及び第２ファスナーと、
前記本体の内面一側に設置される離脱防止用リングとを含んで構成される脱着可能な保温手袋において、
前記本体の下部一側には「十字（十）」または「一字（一）」状の挿入部が貫通形成されることを特徴とする、脱着可能な保温手袋。
【請求項２】
前記ファスナー代りに、
ボタン、ベルクロ、フック、または磁石で構成されることを特徴とする、請求項１に記載の脱着可能な保温手袋。
【請求項３】
前記保温部材と、外皮部材との間に介在する熱線をさらに含んで構成されることを特徴とする、請求項１に記載の脱着可能な保温手袋。
【請求項４】
前記本体の上段部と、下段部の延長に対称に設けられ、収容部の入口を形成する手首締め部をさらに含んで構成されることを特徴とする、請求項１に記載の脱着可能な保温手袋。
【請求項５】
前記挿入部の端部には収容部内部に風が入らないようにベルクロ（ｖｅｌｃｒｏ）がさらに形成され構成されることを特徴とする、請求項１に記載の脱着可能な保温手袋。
【発明の詳細な説明】
【技術分野】
【０００１】
本発明は脱着可能な保温手袋に関し、より詳細には冬季に手を保温及び防寒するために、乳母車、シルバーカー、車椅子、ハンドカー、犬乳母車、ハングライダー、自転車、杖等に適用でき、多様な乳母車を区分せずに脱着可能で手を自然に動かすことができると共に、手袋を脱いで別途に保管する必要がないため、使用者の不注意による紛失を未然に防止できる脱着可能な保温手袋に関する。
【背景技術】
【０００２】
一般に、手袋は手を使う作業や運転時または、乳母車使用時に手を保護したり装飾に用いたりするためによく使われるが、冬季外部の冷気から手を隔離して保温するための防寒用に用いられるのが最も一般的な用途である。
【０００３】
このような防寒用手袋は、革、ビニール、人造皮革、防水生地または合成繊維等の素材の外皮と、主に天然繊維または合成繊維材質の内皮を重ねて縫製して製作する。
ここで、革、ビニール、人造皮革等、主に丈夫で空気が通り難い素材の外皮は、外気を遮断する目的に使われ、内皮に天然繊維や合成繊維を使うのは手が接する部分の感触を向上させるためといえる。
【０００４】
しかし、外部の冷気をより効果的に遮断するために外皮が厚い手袋を使った場合、このような手袋は手を自由に動かすには不便という問題があった。
【０００５】
また、手を自由に動かすために綿のような材質の布を使ったり外皮が薄い手袋を使ったりした場合、外部の冷気が流入して保温に脆弱となる問題があった。前記問題を解決するために従来技術として、韓国特許出願番号２０−２００８−０００９０１７号にはバイク用熱保温腕ぬきが開示されている。
【０００６】
前記従来技術によるバイク用熱保温腕ぬきは、外皮と内皮を有する保温部、保温部の入口を形成する手投入口、保温部の側面に形成されたグリップ投入口、保温部の一側に形成された固定掛け、及び絶縁性シーツ、絶縁性シーツの上に一定パターンに沿って並べられた熱発生抵抗体及び熱発生抵抗体を開閉するスイッチを有し、外皮と内皮との間に配置された電気発熱体を含んで構成されることによって、熱線が内蔵されることで内部を必要な温度範囲に保温できることを特徴とする。
【先行技術文献】
【特許文献】
【０００７】
【特許文献１】韓国特許出願番号２０−２００８−０００９０１７号
【発明の概要】
【発明が解決しようとする課題】
【０００８】
しかし、前記バイク用熱保温腕ぬきは、脱着が不便という問題があった。また、外皮が厚く製作されてバイク運行のような特定目的にだけ用いられ、その他の目的に使用する場合には見掛け上よくないという問題があった。
【０００９】
本発明は、前記従来技術の問題を解決するために改良発明されたもので、本発明の目的は中央部分の折畳み可能なだるま形本体の両側端に沿ってファスナーを結合して収容部を形成することによって、冬季外部の冷気から手を保護すると共に手を自由に動かすことができる脱着可能な保温手袋を提供することである。
【００１０】
また、本発明の他の目的は、本体の下部に十字状または、一字状の挿入部を形成することで多様な形態の乳母車、シルバーカー、車椅子、ハンドカー、犬乳母車、ハンググライダー、自転車、杖等に適用できる脱着可能な保温手袋を提供することである。
【００１１】
また、本発明のさらなる他の目的は、挿入部の端部にベルクロ（ｖｅｌｃｒｏ）を設けて収容部内部に風が入らないようにすることで防寒効果を向上できる脱着可能な保温手袋を提供することである。
【００１２】
しかし、本発明の目的は、前記で言及した目的に制限されず、言及しなかった他の目的についても以下の記述から当業者が明確に理解できる。
【課題を解決するための手段】
【００１３】
前記目的を達成するための本発明の特徴によると、中央部分の折畳み可能なだるま形本体と、前記本体の内面に沿って結合された保温部材と、前記本体の外面に沿って結合された外皮部材と、前記本体の両側端に沿って結合されて本体内部に収容部を形成する第１ファスナー及び第２ファスナーと、前記本体の内面の一側に設置される離脱防止用リングを含んで構成される脱着可能な保温手袋において、
前記本体２の下部一側には「十字（十）」または「一字（一）」状で挿入部が貫通形成されたことを特徴とする脱着可能な保温手袋を提供する。
【００１４】
また、本発明の付加的な特徴によると、前記ファスナーの代りにボタン、ベルクロ、フック、または磁石で構成してもよい。
【００１５】
また、本発明のさらなる付加的な特徴によると、前記保温部材と、外皮部材との間に介在する熱線をさらに含んで構成することが好ましい。
【００１６】
また、本発明のさらなる付加的な特徴によると、前記本体の上段部と、下段部の延長に、対称になるように設けられ収容部の入口を形成する手首締め部をさらに含んで構成することが好ましい。
【００１７】
また、本発明のさらなる他の付加的な特徴によると、前記挿入部の端部には収容部内部に風が入らないようにベルクロ（ｖｅｌｃｒｏ）をさらに設けて構成することが好ましい。
【発明の効果】
【００１８】
以上説明したように、本発明に係る脱着可能な保温手袋は、冬季冷気から多様な形態の乳母車を使う使用者の手を保温及び防寒する効果がある。
【００１９】
また、収容部内部に取手が位置するようになるため、使用者が手を収容部内部で自由に動かすことができる効果がある。
【００２０】
また、本体の両側端に開閉可能なファスナーが結合され、本体の下部に十字状または一字状の挿入部が形成されるため、乳母車、シルバーカー、車椅子、ハンドカー、犬乳母車、ハンググライダー、自転車、杖等を区分せずに脱着できるため、使用しようとする所に設置して使用できるという効果がある。
【００２１】
また、挿入部の端部にベルクロ（ｖｅｌｃｒｏ）を設けて収容部内部に風が入らないようにするため、防寒と保温を向上させる効果がある。
【００２２】
また、多様な乳母車を区分せず脱着可能で離脱防止用リングが形成されているため、手袋を脱いで別途に保管する必要がなく使用者の不注意による紛失を未然に防止できる効果がある。
【図面の簡単な説明】
【００２３】
【図１】本発明に係る脱着可能な保温手袋を示した図である。
【図２ａ】本発明に係る脱着可能な保温手袋の広げた状態を示した図である。
【図２ｂ】本発明に係る脱着可能な保温手袋の広げた状態を示した図である。
【図２ｃ】本発明に係る脱着可能な保温手袋の広げた状態を示した図である。
【図３】本発明に係る脱着可能な保温手袋の第１実施形態を説明するための図である。
【図４】本発明に係る脱着可能な保温手袋の第２実施形態を説明するための図である。
【図５】本発明に係る脱着可能な保温手袋の使用状態を示した図である。
【図６】本発明に係る脱着可能な保温手袋の使用状態を示した図である。
【図７】本発明に係る脱着可能な保温手袋の使用状態を示した図である。
【発明を実施するための形態】
【００２４】
以下、本発明に係る脱着可能な保温手袋の好ましい実施形態を説明する。下記で本発明を説明するに当たり、関連公示機能または構成に関する具体的な説明が本発明の要旨を不明確する可能性があると判断する場合にはその詳細な説明を省略する。
【００２５】
また、後述する用語は、本発明の機能を考慮して定義された用語であり、これは使用者の意図または、慣例等により変わるものである。
【００２６】
以下、添付図を参照して本発明を説明すると下記の通りである。図１は、本発明に係る脱着可能な保温手袋を示した図面であり、図２ａ乃至図２ｃは、本発明に係る脱着可能な保温手袋の広げた状態を示した図面であり、図３は、本発明に係る脱着可能な保温手袋の第１実施形態を説明するための図面であり、図４は、本発明に係る脱着可能な保温手袋の第２実施形態を説明するための図面であり、図５乃至図７は、本発明に係る脱着可能な保温手袋の使用状態を示した図面である。
【００２７】
本発明に係る脱着可能な保温手袋は、添付図を参照すると、中央部分が折畳み可能なだるま形本体２を備え、前記本体２の内面に沿って形成された保温部材４を備え、前記本体２の外面に沿って形成された外皮部材６を備える。
【００２８】
ここで、前記保温部材４は、主に天然繊維または合成繊維材質からなることが好ましく、前記外皮部材６は、革、ビニールまたは人造革等の素材からなることが好ましい。
【００２９】
そして、前記本体２の両側端に沿って第１ファスナー及び第２ファスナーが、対称に結合されて本体２内部に収容部１４を形成する。この時、前記第１ファスナー及び第２ファスナーは、各々前記本体２の上部両側端に沿って形成された雄ファスナー８と、前記本体２の下部両側端に沿って形成された雌ファスナー１０と、前記雄ファスナー８と雌ファスナー１０との間に介在されて互いを締結する締結具１２で構成される。
【００３０】
ここで、前記雄ファスナー８と、雌ファスナー１０と、締結具１２の代わりにボタン、ベルクロまたは磁石が用いられてもよい。
【００３１】
そして、前記雄ファスナー８と雌ファスナー１０が、前記締結具１２によって締結されることによって収容部１４が形成される。
【００３２】
そして、前記本体２の底面一側に貫通形成された挿入部１６が備えられる。この時、前記挿入部１６は、一般に図２ｂに示したような「十字（十）」状を有するが、図２ｃに示したように「一字（一）」状で形成されてもよい。
【００３３】
さらに、前記本体２の内面一側には、離脱防止用リング１８が形成されてもよく、前記本体２の保温部材４と外皮部材６との間に熱線２０がさらに備えられてもよい。
【００３４】
そして、前記本体２の上段部と下段部の延長に対称に設けられ、前記締結具１２により締結されることによって収容部１４の入口を形成する手首締め部２２がさらに備えられてもよい。
【００３５】
前記のように構成された本発明に係る脱着可能な保温手袋の使用状態を説明すると、下記の通りである。前記本発明に係る脱着可能な保温手袋の組み立て過程は、当業者により変形及び多様な他の実施形態が施行されるためその説明は省略する。
【００３６】
まず、適当な所に保温部材４と外皮部材６を備え、中央部分が折畳み可能なだるま形本体２を位置させる。そして、前記本体２の中央両側端から上部両側端に雄ファスナー８を備える。そして、前記本体２の中央両側端から下部両側端に雌ファスナー１０を備える。そして、前記本体２の両側に備えられた前記雄ファスナー８と雌ファスナー１０との間に締結具１２を各々備える。ここで、前記雄ファスナー８、雌ファスナー１０、締結具１２の代わりにべルクロ、ボタンまたは磁石を利用してもよい。
【００３７】
そして、前記締結具１２により前記雄ファスナー８と、雌ファスナー１０が締結されることで収容部１４が形成される。
【００３８】
そして、前記本体２の下部一側に「十字（十）」挿入部１６または「一字（一）」挿入部１６ａを形成する。
【００３９】
そして、前記本体２の内面一側に離脱防止用リング１８を設ける。
【００４０】
前記のように組み立てが完了したら使用状態を示した図５乃至図６のように、乳母車に設置する。
【００４１】
通常、乳母車のバーは、垂直型バー（ａ）と、水平型バー（ｂ）二種類がある。そして、前記水平型バー（ｂ）が備えられた乳母車はバーの一側に手提げカバン、子供用品（粉ミルク）カバン、帽子、携帯電話等の携帯物品を据置できるように鉤状の携帯リング（ｈ）が備えられる。
【００４２】
前記垂直型バー（ａ）を乳母車に設置する場合、前記垂直型バー（ａ）に前記本体２に形成された「十字（十）」と「一字（一）」状の挿入部１６を嵌めた後、前記本体２の内面一側に設置された離脱防止用リング１８を前記垂直型バー（ｂ）に掛けて前記本体２の揺れを防止し、前記本体２の両側に備えられた雄ファスナー８と、雌ファスナー１０を締結具１２で締結して用いる。
【００４３】
一方、前記水平型バー（ｂ）を乳母車に設置する場合、前記水平型バー（ｂ）に備えられた携帯リング（ｈ）に前記本体２に形成された「十字（十）」と「一字（一）」状の挿入部１６、１６ａを嵌めた後、中央部分が折畳み可能な前記本体２の中央部分を前記水平型バー（ｂ）に密着し、前記本体２の両側に備えられた雄ファスナー８と雌ファスナー１０を前記締結具１２にて締結して用いる。
【００４４】
一方、本発明は、図７に示したように杖に適用することもできる。
【００４５】
前記発明の詳細な説明は、単に本発明を例示するもので、これは単に本発明を説明する目的に使われただけであって、意味の限定や特許請求の範囲に記載された本発明の範囲を制限するために使われたものではない。そして、本技術分野の通常の知識を有する者であれば、これから多様な変形及び均等な他の実施形態が実施可能であることは理解できるだろう。従って、本発明の真の技術的保護範囲は添付した特許請求の範囲の技術的思想によって定められる。
【符号の説明】
【００４６】
２      本体
４      保温部材
６      外皮部材
８      雄ファスナー
１０      雌ファスナー
１２      締結具
１４      収容部
１６      十字（十）挿入部
１６ａ      一字（一）挿入部
１８      離脱防止用リング
２０      熱線
２２      手首締め部
【図１】
2013514464.tif 000003
【図２ｃ】
2013514464.tif 000004
2013514464.tif 000005
【図３】
2013514464.tif 000006
【図４】
2013514464.tif 000007
【図５】
2013514464.tif 000008
【図６】
2013514464.tif 000009
【図７】
2013514464.tif 000010
【図８】
2013514464.tif 000011
【図９】
2013514464.tif 000012
【国際調査報告】
2013514464.tif 000013
2013514464.tif 000014
2013514464.tif 000015
2013514464.tif 000016